(57)【要約】【課題】天井の開閉がスムーズに行なえ、しかも開放時には、天井を画成する天板部材を仕切り部材の側面部に沿う位置に容易に格納することが出来るペット収容部材を提供する。【解決手段】複数の柵部材から囲まれる仕切り部材と、この仕切り部材上の天井を仕切る天板部材とから成るペット収容部材において、仕切り部材と天板部材との間には、天板部材を仕切り部材の側面に沿って案内するためのガイド部材とこのガイド部材に沿って移動する被ガイド部材とから構成されるガイド手段が設けられて、このガイド手段による案内で、前記天板部材を仕切り部材上の天井部分から仕切り部材の側面部に沿う位置に格納可能とした。【選択図】図４
2010158175.tif 000002
【特許請求の範囲】
【請求項１】
複数の柵部材から囲まれる仕切り部材と、この仕切り部材上の天井を仕切る天板部材とから成るペット収容部材において、仕切り部材と天板部材との間には、天板部材を仕切り部材の側面に沿って案内するためのガイド部材とこのガイド部材に沿って移動する被ガイド部材とから構成されるガイド手段が設けられて、このガイド手段による案内で、前記天板部材を仕切り部材上の天井部分から仕切り部材の側面部に沿う位置に格納可能としていることを特徴とするペット収容部材。
【請求項２】
前記天板部材を複数枚に分割して、これら天板分割体をヒンジ部材により連結していることを特徴とする請求項１に記載のペット収容部材。
【請求項３】
複数の柵部材から囲まれる仕切り部材と、この仕切り部材上の天井を仕切る天板部材とから成るペット収容部材において、前記天板部材を二分割するとともに、これら各天板分割体と仕切り部材との間には、天板分割体を仕切り部材の側面に沿って案内するためのガイド部材と、このガイド部材に沿って移動する被ガイド部材とから構成されるガイド手段が設けられて、このガイド手段による案内で、前記各分割体を仕切り部材上の天井部分から仕切り部材の側面部に沿う位置にそれぞれ格納可能としていることを特徴とするペット収容部材。
【発明の詳細な説明】
【技術分野】
【０００１】
本発明は、犬などのペットの収容室を備えたペット収容部材における天井構造に関する。
【背景技術】
【０００２】
近年、子犬等のペットを家屋内の一定の場所に入れておくために、例えばケージなどのペット収容部材が家庭で用いられている。
【０００３】
このペット収容部材は、複数枚の仕切り体を例えば平面視矩形状に連結してなる仕切り部材と、この仕切り部材上の天井を仕切る天板部材とから構成され、これら仕切り部材と天板部材により囲まれた収容室内にペットを収容するようにしている。
【０００４】
そして前記した天板部材は、その後端部を仕切り部材にヒンジ金具を介して揺動可能に連結し、この天板部材を、仕切り部材上に載って天井を閉じる位置と、仕切り部材の背面側上に立設して天井を開放する位置とに位置変更可能として、収容室の天井を開閉できるようにしている（特許文献１参照）。
【０００５】
ところで以上のペット収容部材では、天井の開閉に際して、開放時に仕切り部材に対して立てた天板部材が不用意に倒れる不具合も考えられるし、また立てた天板部材が仕切り部材上に露呈するので、見栄えも悪いという不具合がある。
【０００６】
また天板部材を仕切り部材上に単に載置して、開放時には、天板部材を仕切り部材から取り外すようにしたペット収容部材も見受けられるが、以上の構造のものでは、天井の開放時、仕切り部材から取り外した天板部材の保管場所を別途確保する必要がある。
【先行技術文献】
【特許文献】
【０００７】
実開平６−４１４５８号
【発明の概要】
【発明が解決しようとする課題】
【０００８】
本発明は、以上の実情に鑑みて開発されたものであって、目的とするところは、天井の開閉がスムーズに行なえ、しかも開放時には、天井を画成する天板部材を仕切り部材の側面部に沿う位置に容易に格納することが出来るペット収容部材を提供することにある。
【課題を解決するための手段】
【０００９】
前記した目的を達成するために、請求項１に係る本発明は、複数の柵部材から囲まれる仕切り部材と、この仕切り部材上の天井を仕切る天板部材とから成るペット収容部材において、仕切り部材と天板部材との間には、天板部材を仕切り部材の側面に沿って案内するためのガイド部材とこのガイド部材に沿って移動する被ガイド部材とから構成されるガイド手段が設けられて、このガイド手段による案内で、前記天板部材を仕切り部材上の天井部分から仕切り部材の側面部に沿う位置に格納可能としていることを特徴とする。
【００１０】
請求項２に記載の発明は、請求項１に記載のペット収容部材において、天板部材を複数枚に分割して、これら天板分割体をヒンジ部材により連結していることを特徴とする。
【００１１】
請求項３に記載の発明は、複数の柵部材から囲まれる仕切り部材と、この仕切り部材上の天井を仕切る天板部材とから成るペット収容部材において、天板部材を二分割するとともに、これら各天板分割体と仕切り部材との間には、天板分割体を仕切り部材の側面に沿って案内するためのガイド部材と、このガイド部材に沿って移動する被ガイド部材とから構成されるガイド手段が設けられて、このガイド手段による案内で、前記各分割体を仕切り部材上の天井部分から仕切り部材の側面部に沿う位置にそれぞれ格納可能としていることを特徴とする。
【発明の効果】
【００１２】
請求項１に記載の発明によれば、ガイド手段による案内で、天板部材を仕切り部材上の天井部分から仕切り部材の側面部に沿う位置に格納可能としたことにより、天井の開閉がスムーズに行なえるのは勿論のこと、天井の開放時には、天井を画成する天板部材を仕切り部材の側面部に沿う位置に簡単且つ容易に格納することが出来、従来のように天井の開放により立設した天板部材が不用意に倒れるなどの不具合もない。
【００１３】
請求項２に記載の発明によれば、請求項１に記載の発明の効果に加え、天井の全面開放だけでなく、天井の一部だけを開放した状態とすることが出来、例えば、ペットの世話をする際の利便性が向上するし、またペット収容部材の利用態様がそれだけ広くなる。
【００１４】
請求項３に記載の発明によれば、天井の開放時には、天井を画成する天板部材を仕切り部材の側面部に沿う位置に簡単且つ容易に格納することが出来、従来のように天井の開放により立設した天板部材が不用意に倒れるなどの不具合もないし、また天井の全面開放だけでなく、天井の所望の一部だけを開放した状態とすることも出来、ペット収容部材の利用態様がそれだけ広くなる。
【図面の簡単な説明】
【００１５】
【図１】本発明に係るペット収容部材の一実施形態を示す斜視図。
【図２】同、天井を開放する過程を示すペット収容部材の斜視図。
【図３】同、天井を開放する過程を示すペット収容部材の斜視図。
【図４】同、天井を開放した状態のペット収容部材の斜視図。
【図５】同、要部の拡大斜視図。
【図６】仕切り部材を構成する出入り専用柵部材の正面図。
【図７】仕切り部材を構成する左側仕切り専用柵部材の正面図。
【図８】仕切り部材を構成する右側仕切り専用柵部材の正面図。
【図９】仕切り部材を構成する背面側仕切り専用柵部材の正面図。
【図１０】天板部材の正面図。
【図１１】本発明に係るペット収容部材の別の実施形態を示す斜視図。
【図１２】同、天井を開放する過程を示すペット収容部材の斜視図。
【図１３】同、天井を半分開放した状態のペット収容部材の斜視図。
【図１４】本発明に係るペット収容部材の別の実施形態を示す斜視図。
【図１５】同、天井を開放する過程を示すペット収容部材の斜視図。
【発明を実施するための形態】
【００１６】
以下、本発明の実施の形態を添付した図面により詳細に説明する。
【００１７】
先ず、図１〜図４は、本発明に係るペット用収容部材の一実施形態を示す斜視図、
図５は、その要部を拡大して示す斜視図、
図６は、仕切り部材を構成する出入り専用柵部材の正面図、
図７及び図８は、仕切り部材を構成する左右仕切り専用柵部材の正面図、
図９は、仕切り部材を構成する背面側仕切り専用柵部材の正面図、
図１０は、天井部材の正面図である。
【００１８】
図１〜図１０において符号１で示すペット収容部材は、ケージと称されているものであって、このペット収容部材１は、３枚の仕切り専用柵部材２ａ・２ｂ・２ｃと一枚の出入り専用柵部材２ｄにより平面視矩形状に枠組みされた仕切り部材２と、この仕切り部材２内の床面を構成する床板部材３と、前記した仕切り部材２の天井を画成する天板部材４とから構成されている。
【００１９】
仕切り部材２を構成する仕切り専用柵部材２ａ・２ｂ・２ｃは、図７〜図９に示すように、上下の横杆２１・２２及びこれら上下の横杆２１・２２の長さ方向両端に架設される縦杆２３・２４から矩形状に枠組みされた枠体２０を備え、この枠体２０内は側板２５が組み込まれている。
【００２０】
また仕切り専用柵部材中の左右両側方に配設される２枚２ａ・２ｃは、背面側に配設される１枚２ｂよりも天板部材４の厚さだけ高く形成されている。
【００２１】
出入り用柵部材２ｄは、図６に示すように、枠体２０の上下横杆２１・２２及び左右縦杆２３・２４で画成された出入口を開閉する扉２６が備えられ、この扉２７は、枠体２０を構成する縦杆２４にヒンジ金具（図示せず）を介して揺動自由に支持されている。
【００２２】
底板部材３は、一枚の板材から矩形状に形成されている。
【００２３】
天板部材４は、図１０に示すように、前後の横杆４１・４２及びこれら上下の横杆４１・４２の長さ方向両端に架設される左右及び中央の縦杆４３・４４・４５から矩形状に枠組みされた枠体４０を備え、この枠体４０内には天板４６が組み込まれている。
【００２４】
以上の構成からなるペット収容部材において、本発明は、仕切り部材２と天板部材３との間に、天板部材３を仕切り部材２の側面に沿って案内するためのガイド部材とこのガイド部材に沿って移動する被ガイド部材とから構成されるガイド手段５を設けて、このガイド手段５による案内で、天板部材３を仕切り部材２上の天井部分から仕切り部材２の側面部に沿う位置に格納可能としたのである。
【００２５】
即ち、図１〜図１０に示す実施形態では、ガイド手段５を構成するガイド部材をガイド溝５１から形成し、またガイド手段５を構成する被ガイド部材を前記ガイド溝５１内に沿って移動するガイドピン５２から構成している。
【００２６】
そして前記したガイド溝５１は、図７及び図８に示すように、左右の仕切り専用柵部材２ａ・２ｃを構成する縦杆２４の側面にそのほぼ全長にわたって形成されている。
【００２７】
またガイドピン５２は、図１０に示すように、その一端部を前記した天板部材４を構成する後側横杆４２の長さ方向両端に固定され、この後側横杆４２の両端から突出しているガイドピン５２の遊端部を前記ガイド溝５１内に遊挿し、このガイド溝５１の上端部から下端部に向かってガイドピン５２を移動させて、図１に示すように天井を覆っていた天板部材４を図４に示すように仕切り専用柵部材２ｂの背面側に格納するようにしている。
【００２８】
また以上の実施形態では、天板部材４と仕切り部材２との間には、天井を閉鎖した状態にある天板部材４を仕切り部材２にロックするためのロック手段６が設けられている。
【００２９】
このロック手段６は、天板部材４を構成する縦杆４５に設けられた係合板６１と、仕切り部材を構成する出入り用柵部材２ｄの上部横杆２１に設けられて、前記した係合板６１の係合孔６２に係合可能なロック体６３とから構成され、前記ロック体６３を前記係合板６１の係合孔６２に係合させることで、天井を閉鎖した状態にある天板部材４を仕切り部材２にロックするようにしている。
【００３０】
また天板部材４と仕切り部材２との間には、仕切り部材２の側面部に沿う位置に格納された天板部材３が後方に倒れるのを防止するための保持手段７が設けられている。
【００３１】
この保持手段７は、仕切り部材２を構成する仕切り専用柵部材２ａ・２ｂの上部横杆２１に突設した保持ピン７１から構成され、図５に示すように、この保持ピン７１に前記前記したロック手段６を構成する係合板６１の係合孔６２を係合させることで、仕切り部材２の側面部に沿う位置に格納された天板部材３の後方に倒れを阻止するようにしている。
【００３２】
尚、図中８はキャスターを示す。
【００３３】
以上の構成からなるペット収容部材１は、図１に示すように、天板部材４が仕切り部材２の天井を覆っている時には、天板部材４の前端部がロック手段６により仕切り部材２の出入り用柵部材２ｄに係止されているので、天板部材４が不用意に開くことはない。
【００３４】
次に天井を開く場合には、先ずロック体６３の操作により、ロック体６３を係合板６１の係合孔６２から離脱させて、天板部材４の仕切り部材２に対するロックを解除する。
【００３５】
続いて図２に示すように、天板部材４の前端側を上方に持ち上げ、更に図３に示すように、天板部材４を仕切り部材２の仕切り専用柵部材２ｂ上に立ち上げる。
【００３６】
しかる後、天板部材４に設けられたガイドピン５２をガイド溝５１の上端部から下端部に移動させることで、天板部材４を仕切り専用棚部材２ｂの背面に沿って下方にスライドさせて、図４に示すように仕切り専用柵部材２ｂの背面側に格納し、更に図５に示すように、保持ピン７１に係合板６１の係合孔６２を係合させることで、天板部材３が仕切り専用柵部材２ｂに係止されて、天板部材３が後方に不用意に倒れることがない。
【００３７】
以上の実施形態では、天板部材４を背面側に位置する仕切り専用柵部材２ｂの外側面側に格納するようにしたが、これに限定されるものではなく、例えば左右の仕切り専用柵部材２ａ・２ｃまたは出入り用柵部材２ｄの側面に沿うように格納するようにしてもよい。
【００３８】
次に図１１〜図１３は、ペット収容部材１の別の実施形態を示すものであって、前記した実施形態のものと異なる点は、ペット収容部材１を構成する天板部材４を前後二枚に分割して、分割されたこれら天板分割体４０ａ・４０ｂをヒンジ部材４７により連結したものである。
【００３９】
以上の実施形態のものでは、ガイド手段５を構成するガイドピン５２は、後側天板分割体４０ｂの幅方向両端に設けている。
【００４０】
また以上の実施形態のものでは、天板分割体４０ａ・４０ｂを受け止めるための受け止め杆２７が、図１２にも示すように、仕切り専用柵部材２ａ・２ｃの上端部内側面に設けられている。
【００４１】
以上のペット収容部材１では、天板部材４が仕切り部材２の天井を覆っている時には、天板部材４の前端部がロック手段６により仕切り部材２の出入り用柵部材２ｄに係止されているので、天板部材４が不用意に開くことはない。
【００４２】
次に天井を半分開きたい場合には、先ずロック体６３の操作により、ロック体６３を係合板６１の係合孔６２から離脱させて、天板部材４の仕切り部材２に対するロックを解除する。
【００４３】
続いて天井部材４を上方に持ち上げて、図１２に示すように、後側天板分割体４０ｂを仕切り専用柵部材２ｂ上に立ち上げるとともに、前側天板分割体４０ａを後側天板分割体４０ｂに対して折り曲げ、この状態から後側天板分割体４０ｂをガイド手段５を介して仕切り専用棚部材２ｂの背面に沿って下方に移動させて、図１３に示すように、後側天板分割体４０ｂを仕切り専用柵部材２ｂの背面側に格納するとともに、前側天板分割体４０ａを受け止め杆２７上に載置すると、この前側天板分割体４０ａで天井の一部が閉鎖された状態とすることが出来る。
【００４４】
また天井を全開したい場合には、受け止め杆２７上に載置した前側天板分割体４０ａを立ち上げて、この前側天板分割体４０ａを後側天板分割体４０ｂとともにガイド手段５を介して仕切り専用棚部材２ｂの背面に沿って更に下方に移動させれば、両天板分割体４０ａ・４０ｂを仕切り専用柵部材２ｂの背面側に格納することが出来る。
【００４５】
以上のように両天板分割体４０ａ・４０ｂを仕切り専用柵部材２ｂの背面側に格納する時は、保持ピン７１に係合板６１の係合孔６２を係合させることで、前側天板分割体４０ａが仕切り専用柵部材２ｂに係止されて、天板部材３が後方に不用意に倒れることがない。
【００４６】
尚、以上の実施形態では、天板部材４を前後二枚に分割したが、これに限定されるものではなく、例えば前後三枚に分割してもよい。
【００４７】
以上の実施形態では、天板部材４を背面側に位置する仕切り専用柵部材２ｂの外側面側に格納するようにしたが、これに限定されるものではなく、例えば左右の仕切り専用柵部材２ａ・２ｃまたは出入り用柵部材２ｄの側面に沿うように格納するようにしてもよい。
【００４８】
更に図１４〜図１５に示す他の実施形態のペット収容部材１は、ペット収容部材１の幅を、図１に示すペット収容部材１の幅よりも約二倍広くするとともに、天板部材４を左右の天板分割体４０ｃ・４０ｄに二分割している。
【００４９】
そして各天板分割体４０ｃ・４０ｄと背面側の仕切り専用柵部材２ｂ及び出入り用柵部材２ｄとの間には、各天板分割体４０ｃ・４０ｄを仕切り部材２の左右側面に沿って案内するためのガイド部材としてのガイド溝５１と、このガイド溝５１に沿って移動する被ガイド部材としてのガイドピン５２から構成されるガイド手段５を設けて、このガイド手段５による案内で、各天板分割体４０ｃ・４０ｄを仕切り部材２上の天井部分から左右の仕切り専用柵部材２ａ・２ｃ外側面に沿う位置に格納可能としている。
【００５０】
即ち、図１４〜図１５に示す実施形態では、前記したガイド溝５１は、背面側の仕切り専用柵部材２ｂ及び出入り用柵部材２ｄを構成する縦杆２３の側面にそのほぼ全長にわたって形成されている。
【００５１】
またガイドピン５２は、各天板分割体４０ｃ・４０ｄに設けられ、このガイドピン５２の遊端部を前記ガイド溝５１内に遊挿し、このガイド溝５１の上端部から下端部に向かってガイドピン５２を移動させて、各天板分割体４０ｃ・４０ｄをそれぞれ独自に左右仕切り専用柵部材２ａ・２ｃの外側面に沿う位置に格納するようにしている。
【００５２】
また仕切り専用柵部材中の左右両側方に配設される２枚２ａ・２ｃは、背面側に配設される仕切り専用柵部材２ｂ及び出入り用柵部材２ｄよりも天板部材４の厚さだけ低く形成されている。
【００５３】
また以上の実施形態では、天板分割体４０ｃ・４０ｄを受け止めるための受け止め杆２７が、図１５にも示すように、仕切り専用柵部材２ｂ及び出入り用柵部材２ｄの上端部内側面に設けられている。
【００５４】
以上のペット収容部材１では、例えば天井を全開したい場合には、図１５に示すように、左右の天板分割体４０ｃ・４０ｄを上方に持上げ、左側だけを開放したい場合には左側の天板分割体４０ｃだけを持ち上げ、右側だけを開放したい場合には右側の天板分割体４０ｄだけを上方に持ち上げる。
【００５５】
そして、その天板分割体部材４０ｃ・４０ｄに設けられたガイドピン５２をガイド溝５１の上端部から下端部に移動させることで、持上げた天板分割体４０ｃ・４０ｄを天板分割体部材４０ｃ・４０ｄを左右の仕切り専用棚部材２ａ・２ｃの外側面に沿って下方にスライドさせて、これら仕切り専用柵部材２ｂの２ａ・２ｃの外側面側に格納するのである。
【００５６】
尚、天板分割体４０ｃ・４０ｄを左右の仕切り専用棚部材２ａ・２ｃの外側に格納する時は、これら左右の仕切り専用棚部材２ａ・２ｃに設けた保持ピン７１に、前記天板分割体４０ｃ・４０ｄに設けた係合板６１の係合孔６２を係合させることで、各天板分割体４０ｃ・４０ｄが仕切り専用柵部材２ａ・２ｃに係止されて、天板分割体４０ｃ・４０ｄが不用意に倒れることがない。
【００５７】
以上の実施形態では、天板分割体４０ｃ・４０ｄを左右の仕切り専用棚部材２ａ・２ｃの外側に格納するようにしたが、これに限定されるものではなく、たとえば各天板分割体４０ｃ・４０ｄをそれぞれ独自に背面側の仕切り専用棚部材２ｂ若しくは出入り用柵部材２ｄの外側または内側に格納するようにしてもよい。
【００５８】
また以上の実施形態では、ガイド溝５１を仕切り部材２側に設け、ガイドピン５２を天板部材４側に設けたが、ガイドピン５２を仕切り部材２側に設け、ガイド溝５１を天板部材４側に設けてもよい。
【符号の説明】
【００５９】
１    ペット収容部材
２    仕切り部材
２ａ・２ｂ・２ｃ    仕切り専用柵部材
２ｄ  出入り専用仕切り部材
２０  枠体
２１・２２  横杆
２３・２４  縦杆
２５        側板
３    床板部材
４    天板部材
４１・４２  横杆
４３・４４・４５  縦杆
４６  側板
５    ガイド手段
５１  ガイド溝（ガイド部材）
５２  ガイドピン（被ガイド部材）
６    ロック手段
６１  係合板
６２  係合孔
６３  ロック体
７    保持手段
７１  保持ピン
【図１】
2010158175.tif 000003
【図２】
2010158175.tif 000004
【図３】
2010158175.tif 000005
【図４】
2010158175.tif 000006
【図５】
2010158175.tif 000007
【図６】
2010158175.tif 000008
【図７】
2010158175.tif 000009
【図８】
2010158175.tif 000010
【図９】
2010158175.tif 000011
【図１０】
2010158175.tif 000012
【図１１】
2010158175.tif 000013
【図１２】
2010158175.tif 000014
【図１３】
2010158175.tif 000015
【図１４】
2010158175.tif 000016
【図１５】
2010158175.tif 000017